(57)【要約】【課題】型枠の設置精度の低下を抑制することができる繋ぎ材及び接続方法を提供する。【解決手段】一実施形態に係る繋ぎ材は、型枠２０を介して外部足場を内部足場に繋ぐ繋ぎ材である。この繋ぎ材は、外部足場と内部足場とを接続する接続部材２を備え、接続部材２は、型枠２０に対して移動自在に挿通されている。一実施形態に係る接続方法は、型枠２０を介して内部足場を外部足場に接続する接続方法である。この接続方法は、接続部材２を型枠２０に対して移動自在となるように型枠２０に挿通する工程と、外部足場に接続部材２の端部２ａを接続させる工程と、内部足場に接続部材２の端部２ａを接続させる工程と、を備える。【選択図】図３
2018193685.tif 000002
【特許請求の範囲】
【請求項１】
型枠を介して足場を他の部材に繋ぐ繋ぎ材であって、
前記足場と前記他の部材とを接続する接続部材を備え、
前記接続部材は、前記型枠に対して移動自在に挿通されている、
繋ぎ材。
【請求項２】
前記他の部材は、前記足場とは異なる他の足場である、
請求項１に記載の繋ぎ材。
【請求項３】
型枠を介して足場を他の部材に接続する接続方法であって、
接続部材を前記型枠に対して移動自在となるように前記型枠に挿通する工程と、
前記足場に前記接続部材の一端を接続させる工程と、
前記他の部材に前記接続部材の他端を接続させる工程と、
を備える接続方法。
【発明の詳細な説明】
【技術分野】
【０００１】
本発明は、足場を他の部材と接続する繋ぎ材及び接続方法に関する。
【背景技術】
【０００２】
実公昭６３−４６５９９号公報には、組み立てられた複数の足場枠と、複数の足場枠の間に位置する型枠と、型枠の内側に位置する複数の鉄筋と、一方の足場枠及び他方の足場枠を型枠を介して接続する連結杆と、を備えた組立装置が記載されている。この組立装置は、各足場枠に取り付けられる壁つなぎ金具と、型枠の内側面に当接する一対の型枠受片とを備えており、連結杆は型枠の内側において一対の型枠受片の間に通されている。
【０００３】
実登２５０６８４２号公報には、足場枠と型枠パネルとを備えた型枠の緊締装置が記載されている。この緊締装置は、足場に接続されると共に型枠パネルを貫通するねじ桿と、型枠パネルの内側でねじ桿が通されるパイプと、型枠パネルの内側且つパイプの両端側で型枠パネルの内側面に接触するコーンと、型枠パネルの外側面でねじ桿を螺合して固定するナットとを備えている。
【先行技術文献】
【特許文献】
【０００４】
【特許文献１】実公昭６３−４６５９９号公報
【特許文献２】実登２５０６８４２号公報
【発明の概要】
【発明が解決しようとする課題】
【０００５】
前述した組立装置では、各足場枠に取り付けられる壁つなぎ金具に一対の型枠受片が接続されており、各型枠受片は、共に型枠の内側面に当接する。よって、足場枠の上で作業者が作業を行うとき等に、足場枠の揺れが壁つなぎ金具、連結杆及び型枠受片に伝達するので、足場枠の揺れが型枠に伝達することによって型枠が傾く懸念がある。従って、足場枠の揺れに伴って型枠の設置精度が損なわれる可能性がある。
【０００６】
前述した緊締装置では、ねじ桿が型枠、コーン及びナットに通されて、一対のコーンが型枠パネルの内側面に接触すると共に、一対のナットが型枠パネルの外側面のそれぞれでねじ桿を締め付けている。よって、足場からの揺れがねじ桿、コーン及びナットを介して型枠に伝達するので、足場の揺れに伴って型枠が傾くことが懸念される。従って、この緊締装置でも型枠の設置精度が損なわれる可能性がある。特に高所では、足場からの揺れが顕著となりうるため、型枠の設置精度が損なわれる可能性が高くなることが想定される。
【０００７】
本発明は、型枠の設置精度の低下を抑制することができる繋ぎ材及び接続方法を提供することを目的とする。
【課題を解決するための手段】
【０００８】
本発明に係る繋ぎ材は、型枠を介して足場を他の部材に繋ぐ繋ぎ材であって、足場と他の部材とを接続する接続部材を備え、接続部材は、型枠に対して移動自在に挿通されている。
【０００９】
この繋ぎ材は、足場と他の部材とを接続する接続部材を備えており、足場は型枠を介して他の部材に繋がれる。よって、この繋ぎ材では、型枠を介して足場を他の部材に接続させることができ、型枠にコンクリートが打設される前に足場を他の部材に支持させることができる。従って、足場の転倒を防止することができる。また、足場と他の部材を接続する接続部材は、型枠に対して移動自在に挿通されており、型枠に対して絶縁されている。よって、接続部材は型枠に対して絶縁されているので、足場から揺れが接続部材に伝達しても、この揺れを型枠に伝達しないようにすることができる。従って、足場から型枠への揺れの伝達を抑制することができるので、型枠の設置精度が損なわれる問題を回避することができる。従って、たとえ高所で足場を繋いでも、型枠の設置精度の低下を抑制することができる。
【００１０】
また、前述した他の部材は、当該足場とは異なる他の足場であってもよい。この場合、型枠を介して、当該足場を他の足場と接続させることができる。また、当該足場及び他の足場のいずれかから接続部材に揺れが伝達しても、この揺れを型枠に伝達しないようにすることができる。従って、当該足場及び他の足場を型枠を介して接続した場合でも、足場の揺れの型枠への伝達を抑制することができるので、型枠の設置精度の低下を抑制することができる。
【００１１】
本発明に係る接続方法は、型枠を介して足場を他の部材に接続する接続方法であって、接続部材を型枠に対して移動自在となるように型枠に挿通する工程と、足場に接続部材の一端を接続させる工程と、他の部材に接続部材の他端を接続させる工程と、を備える。
【００１２】
この接続方法では、接続部材によって足場と他の部材とを接続し、型枠を介して足場が他の部材に繋がれる。従って、型枠を介して足場を他の部材に接続させることができ、型枠にコンクリートが打設される前に足場を他の部材に支持させることができるので、足場の転倒を防止することができる。また、接続部材を挿通する工程では、接続部材を型枠に対して移動自在となるように挿通する。従って、接続部材は型枠に対して絶縁されるので、足場からの揺れが接続部材に伝達しても、この揺れを型枠に伝達しないようにすることができる。よって、たとえ高所であっても、型枠の設置精度の低下を抑制することができる。
【発明の効果】
【００１３】
本発明によれば、型枠の設置精度の低下を抑制することができる。
【図面の簡単な説明】
【００１４】
【図１】実施形態に係る繋ぎ材及び接続方法が適用される足場を示す図である。
【図２】図１の足場に設けられた型枠の内側を示す斜視図である。
【図３】図１の繋ぎ材及び型枠を示す縦断面図である。
【発明を実施するための形態】
【００１５】
以下、図面を参照しながら本発明に係る繋ぎ材及び接続方法の実施形態を説明する。図面の説明において、同一又は相当する要素には同一の符号を付し、重複する説明を適宜省略する。
【００１６】
図１は、本実施形態に係る繋ぎ材１が適用される建物の施工現場Ｓを簡略化して示す図である。図１に示されるように、施工現場Ｓには、建物の内側であって且つ屋根Ｒの下側に設けられる内部足場１１と、建物の外側に設けられる外部足場１２と、内部足場１１及び外部足場１２の間で建物のＲＣ壁を構成する型枠２０とが設けられている。本実施形態では、自立するように設置された型枠２０の間にコンクリートＣが打設されて建物のＲＣ壁が構築される。具体的には、建物の下層階から順次、型枠２０の設置、コンクリートＣの打設、及びコンクリートＣ硬化後の型枠２０の脱型、を行う。図１では、建物の高層階以外の部分において、コンクリートＣが硬化し、型枠２０の脱型が完了した状態を示している。
【００１７】
繋ぎ材１は、例えば、建物の高層階に設けられており、具体的には屋根Ｒの下の最上階に配置されている。繋ぎ材１は、型枠２０を貫通する壁貫通壁繋ぎ材である。繋ぎ材１は、型枠２０を介して外部足場１２（足場）を内部足場１１（他の足場）に繋いでいる。すなわち、繋ぎ材１は、外部足場１２を型枠２０の反対側に位置する他の部材に繋ぐために設けられる。繋ぎ材１と内部足場１１の間、及び、繋ぎ材１と外部足場１２の間にはそれぞれ壁繋ぎ金物１３が固定されている。すなわち、内部足場１１と繋ぎ材１、及び、外部足場１２と繋ぎ材１は、共に、壁繋ぎ金物１３を介して連結されている。
【００１８】
図２は、内部足場１１と外部足場１２との間に介在する型枠２０の内側を示す斜視図である。図３は、型枠２０の内側及び外側を示す縦断面図である。図２及び図３に示されるように、型枠２０の内側には、建物のＲＣ壁を構成する複数の鉄筋２１が配置されている。鉄筋２１は、鉛直方向に延びる複数の縦筋２１ａと、水平方向に延びる複数の横筋２１ｂとを含む。
【００１９】
型枠２０の内側には、前述した繋ぎ材１と、向かい合う型枠２０の間隔を一定に保つ間隔保持部材３０とが設けられる。間隔保持部材３０は、例えば、繋ぎ材１の鉛直方向両側に配置されており、２つの間隔保持部材３０の間に繋ぎ材１が配置されている。間隔保持部材３０は、セパレータ３１と、セパレータ３１が挿通されると共に型枠２０の内側面２０ａに当接する一対のコーン部材３２とを備えている。
【００２０】
セパレータ３１は、例えば全ネジボルトであり、一対のコーン部材３２の間で直線状に延びている。コーン部材３２は、例えば、截頭円錐状とされたプラスチックコーン（Ｐコン）である。各コーン部材３２は、セパレータ３１を固定する円板状の固定金具３２ａを備えており、セパレータ３１は固定金具３２ａにねじ込まれることによって固定される。
【００２１】
セパレータ３１は型枠２０を貫通しており、型枠２０の外側面２０ｂ（コーン部材３２との反対側の面）にはセパレータ３１を固定するナット３３が設けられている。セパレータ３１は、型枠２０の内側面２０ａで固定金具３２ａに固定されると共に、型枠２０の外側面２０ｂでナット３３に固定される。そして、一対のコーン部材３２の間に固定されたセパレータ３１が介在することにより、型枠２０は、型枠２０間の距離が不変となるように固定されている。
【００２２】
繋ぎ材１は、間隔保持部材３０とは別に設けられている。繋ぎ材１は、内部足場１１と外部足場１２とを接続する棒状の接続部材２と、接続部材２を収容する管状の収容部材３と、接続部材２が挿通されると共に収容部材３の両端が当接する一対の当接部材４と、型枠２０から離れた位置で接続部材２と前述した壁繋ぎ金物１３とを連結する連結部材５とを備えている。
【００２３】
接続部材２は、例えば、全ネジボルトから形成されており、より具体的には４分全ネジである。接続部材２は、セパレータ３１と同一の棒状部材であってもよい。接続部材２は、型枠２０の孔部２０ｃに移動可能に挿通されている。例えば、接続部材２の外径は孔部２０ｃの内径より小さく、接続部材２の外周は孔部２０ｃに通常非接触とされている。接続部材２は、収容部材３、当接部材４及び型枠２０に対して絶縁されている。すなわち、接続部材２は、収容部材３、当接部材４及び型枠２０のいずれにも拘束されていない。
【００２４】
よって、接続部材２は、収容部材３、当接部材４及び型枠２０に対する相対移動が許容されており、接続部材２は、収容部材３、当接部材４及び型枠２０に対して、型枠２０の対面方向に移動自在とされている。接続部材２の長手方向の端部２ａは、それぞれ、型枠２０から離間した位置で連結部材５に連結されている。また、接続部材２は、連結部材５及び壁繋ぎ金物１３を介して内部足場１１（外部足場１２）に接続されているが、型枠２０とは絶縁されている。よって、型枠２０は、内部足場１１、外部足場１２、壁繋ぎ金物１３及び連結部材５から絶縁されている。
【００２５】
収容部材３は、例えば、塩ビ管である。収容部材３の長手方向の端部３ａは、それぞれ当接部材４に当接している。当接部材４は、例えば、截頭円錐状とされた樹脂部材である。一例として、当接部材４は、プラスチックコーン（Ｐコン）であり、コーン部材３２と同一のものを用いることも可能である。但し、当接部材４は、コーン部材３２の固定金具３２ａに相当する部材を有しない。また、収容部材３と当接部材４の間、及び当接部材４と型枠２０の間には、内部への水の侵入を防ぐため、シール材が充填されている。
【００２６】
連結部材５には、前述した壁繋ぎ金物１３が連結されている。連結部材５は、接続部材２の端部２ａが挿入される穴部５ａを備えており、穴部５ａに端部２ａが挿入されることによって連結部材５に接続部材２が固定される。連結部材５は、例えば、全ネジボルトである接続部材２を螺合する螺子筒を有し、連結部材５の内側には接続部材２がねじ込まれる雌螺子が形成されている。一例として、連結部材５は袋ナットである。
【００２７】
次に、型枠２０を介して内部足場１１に外部足場１２を接続する接続方法について説明する。例えば、外部足場１２側の型枠２０を自立させてから鉄筋２１の配筋を行い、型枠２０に孔部２０ｃを形成しておく。そして、外部足場１２側の型枠２０の内側面２０ａにコーン部材３２を当接させると共に、セパレータ３１を外部足場１２側の型枠２０の内側から孔部２０ｃに挿通する。孔部２０ｃから型枠２０の外部足場１２側に突出したセパレータ３１の部分をナット３３で締め付けることにより、外部足場１２側の型枠２０に間隔保持部材３０を取り付ける。
【００２８】
一方、内部足場１１及び外部足場１２のそれぞれに壁繋ぎ金物１３を取り付けて、各壁繋ぎ金物１３に連結部材５を取り付けておく。そして、外部足場１２側の型枠２０に当接部材４と収容部材３を配置すると共に、接続部材２を収容部材３、当接部材４、及び外部足場１２側の型枠２０の孔部２０ｃに挿通させる。このとき、接続部材２を、収容部材３、当接部材４及び型枠２０に対して移動自在となるように挿通する（挿通する工程）。
【００２９】
そして、接続部材２を孔部２０ｃから外部足場１２側に突出させて、外部足場１２側の連結部材５に接続部材２を接続させる。このとき、例えば全ネジボルトの接続部材２を袋ナットの連結部材５に螺合して固定する。これにより、連結部材５及び壁繋ぎ金物１３を介して、外部足場１２に接続部材２が接続される（接続部材の一端を接続させる工程）。
【００３０】
続いて、内部足場１１側の型枠２０を自立させ、その後、前述と同様の手順で、内部足場１１側の型枠２０に間隔保持部材３０を取り付けると共に、接続部材２を孔部２０ｃから内部足場１１側に突出させて、内部足場１１側の連結部材５に接続部材２を接続させる。これにより、連結部材５及び壁繋ぎ金物１３を介して、内部足場１１に接続部材２が接続される（接続部材の他端を接続させる工程）。
【００３１】
以上、接続部材２の一端を外部足場１２に取り付けると共に、接続部材２の他端を内部足場１１に取り付けることにより、型枠２０から絶縁された状態で接続部材２を内部足場１１及び外部足場１２に接続させる。更に、収容部材３と当接部材４の間、及び当接部材４と型枠２０の間に、内部への水の侵入を防ぐためのシール材をホットボンド等を用いて充填させておく。以上の工程を経て繋ぎ材１の設置が完了する。
【００３２】
間隔保持部材３０の設置、繋ぎ材１の設置、及び鉄筋２１の配筋が完了した後には、型枠２０間にコンクリートを打設する。打設したコンクリートが硬化した後には、型枠２０の脱型を行う。そして、間隔保持部材３０のコーン部材３２及びセパレータ３１を抜き取ると共に、繋ぎ材１の当接部材４及び接続部材２を抜き取る。
【００３３】
このとき、硬化したコンクリートには収容部材３が残された状態となるが、抜き取られた当接部材４及び接続部材２の形状は、コーン部材３２及びセパレータ３１の形状と同一にすることができるため、コンクリートの孔の形状を同一にすることができる。従って、繋ぎ材１を使ってもコンクリートに対して違和感を感じにくくすることが可能となる。
【００３４】
続いて、本実施形態に係る繋ぎ材１及び接続方法の作用効果について詳細に説明する。繋ぎ材１及び接続方法では、内部足場１１に外部足場１２を接続する接続部材２を備えており、外部足場１２は型枠２０を介して内部足場１１に繋がれる。よって、繋ぎ材１では、型枠２０を介して外部足場１２を内部足場１１に接続させることができ、型枠２０にコンクリートが打設される前に外部足場１２を内部足場１１に支持させることができる。従って、内部足場１１及び外部足場１２の転倒を防止することができる。
【００３５】
また、内部足場１１と外部足場１２とを接続する接続部材２は、型枠２０に挿通されており、型枠２０に対して絶縁されている。よって、接続部材２は型枠２０に対して絶縁されているので、外部足場１２からの揺れが接続部材２に伝達しても、この揺れを型枠２０に伝達しないようにすることができる。従って、外部足場１２から型枠２０への揺れの伝達を抑制することができるので、型枠２０の設置精度が損なわれる問題を回避することができる。また、本実施形態のように、建物の高層階で内部足場１１及び外部足場１２を繋いでも、型枠２０の設置精度の低下を抑制することができる。
【００３６】
また、繋ぎ材１は、型枠２０を介して、外部足場１２を内部足場１１と接続させることができるので、内部足場１１及び外部足場１２のいずれかから接続部材２に揺れが伝達しても、この揺れを型枠２０に伝達しないようにすることができる。従って、内部足場１１及び外部足場１２を互いに接続しても、型枠２０の設置精度の低下を抑制することができる。
【００３７】
また、繋ぎ材１は、型枠２０間の間隔を保持する間隔保持部材３０とは別に設けられる。従って、間隔保持部材３０によって型枠２０間の間隔を保持させた上で内部足場１１及び外部足場１２を接続させることができる。よって、繋ぎ材１では、型枠２０間の間隔を保持する機能を不要としつつ、内部足場１１と外部足場１２とを接続させることができる。
【００３８】
本実施形態において、繋ぎ材１では、棒状の接続部材２が型枠２０の外に突出して内部足場１１及び外部足場１２を接続しているので、限られたスペースで内部足場１１及び外部足場１２を接続させることができる。また、繋ぎ材１は、接続部材２及び当接部材４を備え、接続部材２及び当接部材４は、間隔保持部材３０のセパレータ３１及びコーン部材３２と同一のものが用いられるため、繋ぎ材１の施工を間隔保持部材３０の施工と同様に行うことができる。更に、繋ぎ材１は、接続部材２を収容する収容部材３を備えているので、収容部材３によって接続部材２を確実に保護することができる。
【００３９】
また、繋ぎ材１は、全ネジボルトから形成される接続部材２と、塩ビ管である収容部材３と、Ｐコンである当接部材４と、袋ナットである連結部材５とを備える。よって、現存する部材を用いて繋ぎ材１を設置することができる。更に、収容部材３を切断して収容部材３の長手方向の長さを変えることにより、様々な壁厚（型枠２０間の距離）に対応できる。
【００４０】
以上、本発明の実施形態について説明したが、本発明は、前述の実施形態に限定されるものではなく、各請求項に記載した要旨を変更しない範囲で変形し、又は他のものに適用したものであってもよい。すなわち、本発明は、請求項の要旨を変更しない範囲で種々の変更が可能である。
【００４１】
例えば、前述の実施形態では、外部足場１２に接続部材２を接続して接続部材２の一端を接続する工程を実行し、内部足場１１に接続部材２を接続して接続部材２の他端を接続する工程を実行する例について説明した。しかしながら、接続部材の一端を接続する工程と、接続部材の他端を接続する工程の順序は、どちらが先であってもよく適宜変更可能である。
【００４２】
また、前述の実施形態では、外部足場１２側の型枠２０を自立させた後に鉄筋２１の配筋を行う例について説明したが、鉄筋２１の配筋のタイミングは適宜変更可能である。更に、前述の実施形態では、外部足場１２に接続部材２を接続した後に内部足場１１に接続部材２を接続させる例について説明したが、内部足場１１に接続部材２を接続した後に外部足場１２に接続部材２を接続させてもよい。
【００４３】
また、前述の実施形態では、型枠２０への間隔保持部材３０の取り付けと、型枠２０への繋ぎ材１の取り付けについて説明したが、間隔保持部材３０の取り付けと繋ぎ材１の取り付けの順序は、どちらが先であってもよく適宜変更可能である。
【００４４】
また、前述の実施形態では、建物の下層階から、型枠２０の設置、コンクリートＣの打設、及びコンクリートＣ硬化後の型枠２０の脱型、を順次行う例について説明した。しかしながら、建物に対する、型枠２０の設置、コンクリートＣの打設、及び型枠２０の脱型の単位及び順序は適宜変更可能である。更に、コンクリートＣの硬化後における、コーン部材３２及びセパレータ３１を抜き取るタイミング、及び、当接部材４及び接続部材２を抜き取るタイミング、についても適宜変更可能である。
【００４５】
また、前述の実施形態では、接続部材２が、連結部材５及び壁繋ぎ金物１３を介して、間接的に内部足場１１と外部足場１２に接続される例について説明した。しかしながら、接続部材は、足場を他の部材に間接的に接続してもよいし、足場を他の部材に直接的に接続してもよい。すなわち、連結部材５及び壁繋ぎ金物１３の構成は適宜変更である。例えば、連結部材５及び壁繋ぎ金物１３のいずれか一方を省略してもよいし、連結部材５及び壁繋ぎ金物１３の両方を省略して接続部材２を内部足場１１と外部足場１２に直接接続させてもよい。
【００４６】
また、前述の実施形態では、接続部材２が全ネジボルトであり、収容部材３が塩ビ管であり、当接部材４がＰコンであり、連結部材５が袋ナットである例について説明した。しかしながら、接続部材２、収容部材３、当接部材４及び連結部材５の材料、形状、大きさ、数及び配置態様は、前述した実施形態に限定されず適宜変更可能である。
【００４７】
また、前述の実施形態では、内部足場１１と外部足場１２とを接続する繋ぎ材１について説明した。しかしながら、本発明に係る繋ぎ材及び接続方法は、足場以外の部材を接続するものであってもよい。例えば、繋ぎ材は、足場と他のコンクリート部材とを接続してもよく、接続する部材については特に限定されない。
【００４８】
また、前述の実施形態では、建物の高層階に設けられる繋ぎ材１について説明した。しかしながら、本発明に係る繋ぎ材が設けられる場所は、建物の高層階に限られず適宜変更可能である。
【符号の説明】
【００４９】
１…繋ぎ材、２…接続部材、２ａ…端部、３…収容部材、３ａ…端部、４…当接部材、５…連結部材、５ａ…穴部、１１…内部足場（足場）、１２…外部足場（他の部材、他の足場）、１３…壁繋ぎ金物、２０…型枠、２０ａ…内側面、２０ｂ…外側面、２０ｃ…孔部、２１…鉄筋、２１ａ…縦筋、２１ｂ…横筋、３０…間隔保持部材、３１…セパレータ、３２…コーン部材、３２ａ…固定金具、Ｃ…コンクリート、Ｓ…施工現場。
【図１】
2018193685.tif 000003
【図２】
2018193685.tif 000004
【図３】
2018193685.tif 000005